(57)【特許請求の範囲】
【請求項１】
第１拡張左音声信号（又は第１拡張右音声信号）、又は、第２拡張左音声信号（又は第２拡張右音声信号）、又は、第３拡張左音声信号（又は第３拡張右音声信号）を増幅する増幅部と、
第１拡張左音声信号を出力する第１スピーカー端子と、
第２拡張左音声信号を出力する第２スピーカー端子と、
第３拡張左音声信号を出力する第３スピーカー端子と、
第１拡張左音声信号、第２拡張左音声信号、及び、第３拡張左音声信号の内、プリアウト設定部によって設定された１つの音声信号を出力するプリアウト端子と、
前記増幅部からの第１拡張左音声信号を前記第１スピーカー端子に供給するか否かを切換える第１スイッチと、
前記増幅部からの第２拡張左音声信号を前記第２スピーカー端子に供給するか否かを切換える第２スイッチと、
前記増幅部からの第３拡張左音声信号を前記第３スピーカー端子に供給するか否かを切換える第３スイッチと、
ユーザ操作によって、第１拡張左音声信号、第２拡張左音声信号、及び、第３拡張左音声信号の中から、前記プリアウト端子に出力する音声信号を１つ選択して設定するプリアウト設定部と、
マルチチャンネル音声データに、第１拡張左音声信号、第２拡張左音声信号、及び、第３拡張左音声信号において、前記プリアウト設定部によって設定されている音声信号以外の２つの音声信号のいずれが含まれているかを判断するチャンネル判断部と、
第１拡張左音声信号が含まれていると判断された場合、前記第１スイッチに前記増幅部によって増幅された第１拡張左音声信号を前記第１スピーカー端子に供給させ、第２拡張左音声信号が含まれていると判断された場合、前記第２スイッチに前記増幅部によって増幅された第２拡張左音声信号を前記第２スピーカー端子に供給させ、第３拡張左音声信号が含まれていると判断された場合、前記第３スイッチに前記増幅部によって増幅された第３拡張左音声信号を前記第３スピーカー端子に供給させる切換制御部とを備える、音声処理装置。
【請求項２】
前記第１拡張左音声信号が、サラウンド後方左音声信号、左外側音声信号、左上側音声信号及び左中央側音声信号のいずれかであり（又は、前記第１拡張右音声信号が、サラウンド後方右音声信号、右外側音声信号、右上側音声信号及び右中央側音声信号のいずれかであり）、
前記第２拡張左音声信号が、サラウンド後方左音声信号、左外側音声信号、左上側音声信号及び左中央側音声信号のいずれかであり、かつ、前記第１拡張左音声信号とは異なり（又は、前記第２拡張右音声信号が、サラウンド後方右音声信号、右外側音声信号、右上側音声信号及び右中央側音声信号のいずれかであり、かつ、前記第１拡張右音声信号とは異なり）、
前記第３拡張左音声信号が、サラウンド後方左音声信号、左外側音声信号、左上側音声信号及び左中央側音声信号のいずれかであり、かつ、前記第１拡張左音声信号および前記第２拡張左音声信号とは異なる（又は、前記第３拡張右音声信号が、サラウンド後方右音声信号、右外側音声信号、右上側音声信号及び右中央側音声信号のいずれかであり、かつ、前記第１拡張右音声信号および前記第２拡張右音声信号とは異なる）、請求項１に記載の音声処理装置。
【発明の詳細な説明】
【技術分野】
【０００１】
本発明は、マルチチャンネル音声データを再生する音声処理装置に関する。
【背景技術】
【０００２】
ＢＤ（ブルーレイディスク）プレーヤと、ＡＶアンプと、ディスプレイ装置とを備える音声再生システムが利用されている。ＢＤプレーヤからＡＶアンプに送信される音声データは、マルチチャンネル音声データがエンコードされたものである。例えば、マルチチャンネル音声データは、図３に示すように、左音声信号Ｌ、右音声信号Ｒ、中央音声信号Ｃ、低域音声信号ＳＷ、サラウンド左音声信号ＳＬ、及び、サラウンド右音声信号ＳＲを含む。また、最近では、ＢＤプレーヤ等で使用されるDolby True HD、Dolby Digital Plus、DTS-HD等のＨＤ（High Definition）関連の音声フォーマットが登場してきており、これらのフォーマットにおいては、サラウンド後方左音声信号ＳＢＬ、サラウンド後方右音声信号ＳＢＲ、左外側音声信号ＬＷ、右外側音声信号ＲＷ、左上側音声信号ＬＨ、右上側音声信号ＲＨがさらに追加されている。
【０００３】
しかし、これらの全てのチャンネルの音声信号に対応するアンプをＡＶアンプに設けると、合計１１．１ｃｈ分のアンプを設けることになるので、コストが非常に高くなってしまう。また、上記の拡張チャンネルのいずれかに代えて（又は、上記の拡張チャンネルに加えて）、図７に示すように左中央側音声信号ＬＣ、右中央側音声信号ＲＣが追加される場合も同様である。さらには、ＡＶアンプが、リスニングモードに応じて、ＤＳＰにおいて上記の拡張チャンネルを生成する場合も同様である。
【０００４】
この問題を解決するために、図９に示す音声処理装置が考えられる。この音声処理装置によると、サラウンド後方左音声信号ＳＢＬ、及び、左上側音声信号ＬＨが含まれる場合、ＤＡＣ５１１ａからアンプ５１２ａにサラウンド後方左音声信号ＳＢＬを供給し、ＤＡＣ５１１ｂからアンプ５１２ｂに左上側音声信号ＬＨを供給させる。そして、スイッチＳ５１３ａ、Ｓ５１３ｄをオン状態に制御し、Ｓ５１３ｂ、Ｓ５１３ｃをオフ状態に制御することによって、アンプ５１２ａによって増幅されたサラウンド後方左音声信号ＳＢＬは、サラウンド後方左ＳＰ端子５１４ａに供給され、アンプ５１２ｂによって増幅された左上側音声信号ＬＨは、左上側ＳＰ端子５１４ｃに供給される。
【０００５】
サラウンド後方左音声信号ＳＢＬ、及び、左外側音声信号ＬＷが含まれる場合、ＤＡＣ５１１ａからアンプ５１２ａにサラウンド後方左音声信号ＳＢＬを供給し、ＤＡＣ５１１ｂからアンプ５１２ｂに左外側音声信号ＬＷを供給させる。そして、スイッチＳ５１３ａ、Ｓ５１３ｃをオン状態に制御し、Ｓ５１３ｂ、Ｓ５１３ｄをオフ状態に制御することによって、アンプ５１２ａによって増幅されたサラウンド後方左音声信号ＳＢＬは、サラウンド後方左ＳＰ端子５１４ａに供給され、アンプ５１２ｂによって増幅された左外側音声信号ＬＷは、左外側ＳＰ端子５１４ｂに供給される。また、プリアウト端子５１１ｄからも、左外側音声信号ＬＷが出力される。従って、プリアウト端子５１１ｄに他のアンプ装置を接続して、他のアンプ装置によって増幅された左外側音声信号ＬＷも再生することができる。
【０００６】
左外側音声信号ＬＷ、及び、左上側音声信号ＬＨが含まれる場合、ＤＡＣ５１１ａからアンプ５１２ａに左外側音声信号ＬＷを供給し、ＤＡＣ５１１ｂからアンプ５１２ｂに左上側音声信号ＬＨを供給させる。そして、スイッチＳ５１３ｂ、Ｓ５１３ｄをオン状態に制御し、Ｓ５１３ａ、Ｓ５１３ｃをオフ状態に制御することによって、アンプ５１２ａによって増幅された左外側音声信号ＬＷは、左外側ＳＰ端子５１４ｂに供給され、アンプ５１２ｂによって増幅された左上側音声信号ＬＨは、左上側ＳＰ端子５１４ｃに供給される。また、プリアウト端子５１１ｃからも、左外側音声信号ＬＷが出力される。従って、プリアウト端子５１１ｃに他のアンプ装置を接続して、他のアンプ装置によって増幅された左外側音声信号ＬＷも再生することができる。
【０００７】
ここで、この音声処理装置によると、サラウンド後方左音声信号ＳＢＬ、及び、左外側音声信号ＬＷが含まれる場合と、左外側音声信号ＬＷ、及び、左上側音声信号ＬＨが含まれる場合とで、上記の通り、左外側音声信号ＬＷが出力されるプリアウト端子が変動するという問題がある。つまり、マルチチャンネル音声データに含まれるチャンネルの組合わせに応じて、プリアウト端子に接続する他のアンプの入力端子を変更する必要が生じる。
【先行技術文献】
【特許文献】
【０００８】
【特許文献１】特開２０１１−２２９１１３号公報
【特許文献２】特開２０１０−１８３２０３号公報
【発明の概要】
【発明が解決しようとする課題】
【０００９】
本発明は上記従来の課題を解決するためになされたものであり、その目的は、拡張左音声信号（又は、拡張右音声信号）が出力されるプリアウト端子を固定することができる音声処理装置を提供することである。
【課題を解決するための手段】
【００１０】
本発明の好ましい実施形態による音声処理装置は、第１拡張左音声信号（又は第１拡張右音声信号）、又は、第２拡張左音声信号（又は第２拡張右音声信号）、又は、第３拡張左音声信号（又は第３拡張右音声信号）を増幅する増幅部と、第１拡張左音声信号を出力する第１スピーカー端子と、第２拡張左音声信号を出力する第２スピーカー端子と、第３拡張左音声信号を出力する第３スピーカー端子と、第１拡張左音声信号、第２拡張左音声信号、及び、第３拡張左音声信号の内、プリアウト設定部によって設定された１つの音声信号を出力するプリアウト端子と、前記増幅部からの第１拡張左音声信号を前記第１スピーカー端子に供給するか否かを切換える第１スイッチと、前記増幅部からの第２拡張左音声信号を前記第２スピーカー端子に供給するか否かを切換える第２スイッチと、前記増幅部からの第３拡張左音声信号を前記第３スピーカー端子に供給するか否かを切換える第３スイッチと、ユーザ操作によって、第１拡張左音声信号、第２拡張左音声信号、及び、第３拡張左音声信号の中から、前記プリアウト端子に出力する音声信号を１つ選択して設定するプリアウト設定部と、マルチチャンネル音声データに、第１拡張左音声信号、第２拡張左音声信号、及び、第３拡張左音声信号において、前記プリアウト設定部によって設定されている音声信号以外の２つの音声信号のいずれが含まれているかを判断するチャンネル判断部と、第１拡張左音声信号が含まれていると判断された場合、前記第１スイッチに前記増幅部によって増幅された第１拡張左音声信号を前記第１スピーカー端子に供給させ、第２拡張左音声信号が含まれていると判断された場合、前記第２スイッチに前記増幅部によって増幅された第２拡張左音声信号を前記第２スピーカー端子に供給させ、第３拡張左音声信号が含まれていると判断された場合、前記第３スイッチに前記増幅部によって増幅された第３拡張左音声信号を前記第３スピーカー端子に供給させる切換制御部とを備える。
【００１１】
プリアウト設定部によって第１拡張左音声信号が設定されている場合、プリアウト端子からは第１拡張左音声信号が出力される。このとき、マルチチャンネル音声データに、第２拡張左音声信号が含まれている場合、増幅部によって増幅された第２拡張左音声信号が第２スイッチを介して第２スピーカー端子に供給される。一方、マルチチャンネル音声データに、第３拡張左音声信号が含まれている場合、増幅部によって増幅された第３拡張左音声信号が第３スイッチを介して第３スピーカー端子に供給される。
【００１２】
プリアウト設定部によって第２拡張左音声信号が設定されている場合、プリアウト端子からは第２拡張左音声信号が出力される。このとき、マルチチャンネル音声データに、第１拡張左音声信号が含まれている場合、増幅部によって増幅された第１拡張左音声信号が第１スイッチを介して第１スピーカー端子に供給される。一方、マルチチャンネル音声データに、第３拡張左音声信号が含まれている場合、増幅部によって増幅された第３拡張左音声信号が第３スイッチを介して第３スピーカー端子に供給される。
【００１３】
プリアウト設定部によって第３拡張左音声信号が設定されている場合、プリアウト端子からは第３拡張左音声信号が出力される。このとき、マルチチャンネル音声データに、第１拡張左音声信号が含まれている場合、増幅部によって増幅された第１拡張左音声信号が第１スイッチを介して第１スピーカー端子に供給される。一方、マルチチャンネル音声データに、第２拡張左音声信号が含まれている場合、増幅部によって増幅された第２拡張左音声信号が第２スイッチを介して第２スピーカー端子に供給される。
【００１４】
以上のように、本実施形態によると、第１拡張左音声信号、第２拡張左音声信号、及び、第３拡張左音声信号の中からユーザ操作によって設定された１つの音声信号が必ずプリアウト端子から出力されるので、音声信号が出力されるプリアウト端子を固定することができる。
【００１５】
好ましい実施形態においては、前記第１拡張左音声信号が、サラウンド後方左音声信号、左外側音声信号、左上側音声信号及び左中央側音声信号のいずれかであり（又は、前記第１拡張右音声信号が、サラウンド後方右音声信号、右外側音声信号、右上側音声信号及び右中央側音声信号のいずれかであり）、前記第２拡張左音声信号が、サラウンド後方左音声信号、左外側音声信号、左上側音声信号及び左中央側音声信号のいずれかであり、かつ、前記第１拡張左音声信号とは異なり（又は、前記第２拡張右音声信号が、サラウンド後方右音声信号、右外側音声信号、右上側音声信号及び右中央側音声信号のいずれかであり、かつ、前記第１拡張右音声信号とは異なり）、前記第３拡張左音声信号が、サラウンド後方左音声信号、左外側音声信号、左上側音声信号及び左中央側音声信号のいずれかであり、かつ、前記第１拡張左音声信号および前記第２拡張左音声信号とは異なる（又は、前記第３拡張右音声信号が、サラウンド後方右音声信号、右外側音声信号、右上側音声信号及び右中央側音声信号のいずれかであり、かつ、前記第１拡張右音声信号および前記第２拡張右音声信号とは異なる）。
【発明の効果】
【００１６】
拡張左音声信号（又は、拡張右音声信号）が出力されるプリアウト端子を固定することができる音声処理装置を提供することができる。
【図面の簡単な説明】
【００１７】
【図１】ＡＶアンプ及びスピーカーの配置を示す図である。
【図２】音声再生システムを示す図である。
【図３】音声信号のチャンネルを示す図である。
【図４】音声処理部を示す図である。
【図５】音声処理部を示す図である。
【図６】制御部の処理を示すフローチャートである。
【図７】音声信号のチャンネルを示す図である。
【図８】音声処理部を示す図である。
【図９】背景技術で説明する音声処理部を示す図である。
【発明を実施するための形態】
【００１８】
以下、本発明の好ましい実施形態によるディスク再生装置（以下、ＢＤプレーヤという。）、音声処理装置（以下、ＡＶアンプという。）及びディスプレイ装置を備える音声再生システムついて、図面を参照して具体的に説明するが、本発明はこれらの実施形態には限定されない。図１は、ＡＶアンプ１、及び、各スピーカーの配置の一例を説明する図である。ＡＶアンプ１には、左スピーカーＳＬ、右スピーカーＳＲ、中央スピーカーＳＣ、低域スピーカーＳＳＷ、サラウンド左スピーカーＳＳＬ、サラウンド右スピーカーＳＳＲ、サラウンド後方左スピーカーＳＳＢＬ、サラウンド後方右スピーカーＳＳＢＲ、左上側スピーカーＳＬＨ、右上側スピーカーＳＲＨ、左外側スピーカーＳＬＷ、右外側スピーカーＳＲＷが接続されている。
【００１９】
図２は、音声再生システムの構成を示すブロック図である。ＢＤプレーヤ１００、ＡＶアンプ１及びディスプレイ装置２００は、例えばＨＤＭＩ規格に準拠し、ＨＤＭＩケーブルを介して相互に接続されている。ＢＤプレーヤ１００は、マルチチャンネル音声データ及び映像データを含むＨＤＭＩデータをＡＶアンプ１に送信する。ＡＶアンプ１は、ＢＤプレーヤ１００から受信したＨＤＭＩデータに含まれるマルチチャンネル音声データを増幅してスピーカーに出力する。また、ＡＶアンプ１は、映像データを含むＨＤＭＩデータをディスプレイ装置２００に送信する。ディスプレイ装置２００は、ＡＶアンプ１から受信したＨＤＭＩデータに含まれる映像データを表示する。
【００２０】
ＡＶアンプ１は、制御部２と、ＨＤＭＩ受信部３と、ＨＤＭＩ送信部４と、音声処理部５と、操作部６と、表示部７と、ＨＤＭＩ端子８，９とを有している。ＡＶアンプ１には、スピーカー３００（図１の各スピーカーに相当）が接続されている。
【００２１】
ＨＤＭＩ受信部３は、ＢＤプレーヤ１００から送信されたＨＤＭＩデータを受信して、受信したＨＤＭＩデータから元の映像データを生成し、ＨＤＭＩ送信部４に供給する。また、ＨＤＭＩ受信部３は、受信したＨＤＭＩデータから元のマルチチャンネル音声データを生成して、音声処理部５に供給する。
【００２２】
音声処理部５は、ＨＤＭＩ受信部３から供給されたマルチチャンネル音声データをデコードし、音響処理、Ｄ／Ａ変換処理、ボリューム調整処理、増幅処理等の各処理を実行し、スピーカー３００に各チャンネルの音声信号を供給する。音声処理部５に供給されるマルチチャンネル音声データについて説明する。Dolby True HD、Dolby Digital Plus、DTS-HD等のＨＤ（High Definition）関連の音声フォーマットにおいては、図３に示すように、例えば、左音声信号Ｌ（前方左音声信号）、右音声信号Ｒ（前方右音声信号）、中央音声信号Ｃ、低域音声信号ＳＷ、サラウンド左音声信号ＳＬ、サラウンド右音声信号ＳＲ、サラウンド後方左音声信号ＳＢＬ、サラウンド後方右音声信号ＳＢＲ、左外側音声信号ＬＷ、右外側音声信号ＲＷ、左上側音声信号ＬＨ、右上側音声信号ＲＨ等が含まれる。
【００２３】
サラウンド後方左音声信号ＳＢＬは、ユーザの後方左側の位置から再生される音声信号である。サラウンド後方右音声信号ＳＢＲは、ユーザの後方右側の位置から再生される音声信号である。左外側音声信号ＬＷは、左音声信号Ｌの外側（左側）の位置（つまりユーザの前方左外側）から再生される音声信号である。右外側音声信号ＲＷは、右音声信号Ｒの外側（右）の位置（つまりユーザの前方右外側）から再生される音声信号である。左上側音声信号ＬＨは、左音声信号Ｌの上側の位置（つまりユーザの前方左上側）から再生される音声信号である。右上側音声信号ＲＨは、右音声信号Ｒの上側の位置（つまりユーザの前方右上側）から再生される音声信号である。
【００２４】
図４、図５は、音声処理部５の要部を示すブロック図である。図４は左チャンネルに関する構成を示し、図５は右チャンネルに関する構成を示す。音声処理部５は、プリアウト部１１と、パワーアンプ１２と、ＳＰ（スピーカー）リレー１３と、ＳＰ（スピーカー）端子１４とを有する。図４、図５においては、基本の５．１ｃｈ分（左音声信号Ｌ、右音声信号Ｒ、中央音声信号Ｃ、低域音声信号ＳＷ、サラウンド左音声信号ＳＬ、サラウンド右音声信号ＳＲ）に関する各回路については従来と同じであるので省略している。また、プリアウト部１１の前段に設けられるＤＳＰ等についても省略している。
【００２５】
ＤＳＰは、ＨＤＭＩ受信部３から供給されるマルチチャンネル音声データをデコードし、各チャンネルの音声データを生成する。生成された音声データは、プリアウト部１１に供給される。
【００２６】
プリアウト部１１は、ＤＡＣ（デジタル−アナログ変換器）１１ａ、１１ｂ、１１ｄ、１１ｅと、左プリアウト端子１１ｃと、右プリアウト端子１１ｆとを有する。左プリアウト端子１１ｃには、別のアンプ装置の左プリアウト入力端子に接続され、左プリアウト端子１１ｃから出力される音声信号は別のアンプ装置で増幅される。同様に、右プリアウト端子１１ｆには、別のアンプ装置の右プリアウト入力端子に接続され、右プリアウト端子１１ｆから出力される音声信号は別のアンプ装置で増幅される。
【００２７】
ＤＡＣ１１ａは、ＤＳＰから、サラウンド後方左音声信号ＳＢＬまたは左外側音声信号ＬＷまたは左上側音声信号ＬＨのいずれか１つが選択的に入力され、入力された信号をデジタル−アナログ変換する。ＤＡＣ１１ａは、デジタル−アナログ変換した音声信号を、アンプ１２ａに供給する。
【００２８】
ＤＡＣ１１ｂは、ＤＳＰから、サラウンド後方左音声信号ＳＢＬまたは左外側音声信号ＬＷまたは左上側音声信号ＬＨのいずれか１つが選択的に入力され、入力された信号をデジタル−アナログ変換する。ＤＡＣ１１ａは、デジタル−アナログ変換した音声信号を、左プリアウト端子１１ｃに供給する。
【００２９】
ＤＳＰからＤＡＣ１１ｂに供給される音声信号のチャンネルは、サラウンド後方左音声信号ＳＢＬ、左外側音声信号ＬＷおよび左上側音声信号ＬＨの中からユーザ操作によって１つが選択される。選択されたチャンネルの情報は、図示しないメモリに保存されて、設定される。すなわち、左プリアウト端子１１ｃに出力されるチャンネルはユーザ操作によって設定される。そして、制御部２は、メモリに記憶されているチャンネルの音声信号をＤＡＣ１１ｂに供給するようにＤＳＰを制御する。
【００３０】
また、ＤＳＰからＤＡＣ１１ａに供給される音声信号のチャンネルは、サラウンド後方左音声信号ＳＢＬ、左外側音声信号ＬＷおよび左上側音声信号ＬＨにおいて、ＤＡＣ１１ｂに供給されるチャンネルを除く残りの２つのチャンネルの中から、マルチチャンネル音声データに含まれている方のチャンネルが選択される。そして、制御部２は、選択されたチャンネルの音声信号をＤＡＣ１１ａに供給するようにＤＳＰを制御する。
【００３１】
ＤＡＣ１１ｄは、ＤＳＰから、サラウンド後方右音声信号ＳＢＲまたは右外側音声信号ＲＷまたは右上側音声信号ＲＨのいずれか１つが選択的に入力され、入力された信号をデジタル−アナログ変換する。ＤＡＣ１１ｄは、デジタル−アナログ変換した音声信号を、アンプ１２ｂに供給する。
【００３２】
ＤＡＣ１１ｅは、ＤＳＰから、サラウンド後方右音声信号ＳＢＲまたは右外側音声信号ＲＷまたは右上側音声信号ＲＨのいずれか１つが選択的に入力され、入力された信号をデジタル−アナログ変換する。ＤＡＣ１１ｅは、デジタル−アナログ変換した音声信号を、右プリアウト端子１１ｆに供給する。
【００３３】
ＤＳＰからＤＡＣ１１ｅに供給される音声信号のチャンネルは、サラウンド後方右音声信号ＳＢＲ、右外側音声信号ＲＷおよび右上側音声信号ＲＨの中からユーザ操作によって１つが選択される。選択されたチャンネルの情報は、図示しないメモリに保存され、設定される。すなわち、右プリアウト端子１１ｆに出力されるチャンネルはユーザ操作によって設定される。そして、制御部２は、メモリに記憶されているチャンネルの音声信号をＤＡＣ１１ｅに供給するようにＤＳＰを制御する。
【００３４】
また、ＤＳＰからＤＡＣ１１ｄに供給される音声信号のチャンネルは、サラウンド後方右音声信号ＳＢＲ、右外側音声信号ＲＷおよび右上側音声信号ＲＨにおいて、ＤＡＣ１１ｅに供給されるチャンネルを除く残りの２つのチャンネルの中から、マルチチャンネル音声データに含まれている方のチャンネルが選択される。そして、制御部２は、選択されたチャンネルの音声信号をＤＡＣ１１ｄに供給するようにＤＳＰを制御する。
【００３５】
パワーアンプ１２は、アンプ１２ａ、１２ｂを有する。アンプ１２ａは、ＤＡＣ１１ａから供給されるサラウンド後方左音声信号ＳＢＬ、又は、左外側音声信号ＬＷ、又は、左上側音声信号ＬＨを増幅してＳＰリレー１３（スイッチＳ１３ａ、Ｓ１３ｂ、Ｓ１３ｃ）に供給する。
【００３６】
アンプ１２ｂは、ＤＡＣ１１ｄから供給されるサラウンド後方右音声信号ＳＢＲ、又は、右外側音声信号ＲＷ、又は、右上側音声信号ＲＨを増幅してＳＰリレー１３（スイッチＳ１３ｄ、Ｓ１３ｅ、Ｓ１３ｆ）に供給する。
【００３７】
ＳＰリレー１３は、リレースイッチ（以下スイッチという。）Ｓ１３ａ〜Ｓ１３ｆを有する。スイッチＳ１３ａは、アンプ１２ａから供給されるサラウンド後方左音声信号ＳＢＬを、サラウンド後方左ＳＰ端子１４ａに供給するか否かを切り換える。スイッチＳ１３ｂは、アンプ１２ａから供給される左外側音声信号ＬＷを、左外側ＳＰ端子１４ｂに供給するか否かを切り換える。スイッチＳ１３ｃは、アンプ１２ａから供給される左上側音声信号ＬＨを、左上側ＳＰ端子１４ｃに供給するか否かを切り換える。スイッチ１３ａ〜Ｓ１３ｃは、ユーザ操作によるプリアウト端子１１ｃのチャンネル設定、及び、マルチチャンネル音声データに含まれるチャンネルに応じて制御部２の指示によって切換えられる。
【００３８】
スイッチＳ１３ｄは、アンプ１２ｂから供給されるサラウンド後方右音声信号ＳＢＲを、サラウンド後方右ＳＰ端子１４ｄに供給するか否かを切り換える。スイッチＳ１３ｅは、アンプ１２ｂから供給される右外側音声信号ＲＷを、右外側ＳＰ端子１４ｅに供給するか否かを切り換える。スイッチＳ１３ｆは、アンプ１２ｂから供給される右上側音声信号ＲＨを、右上側ＳＰ端子１４ｆに供給するか否かを切り換える。スイッチ１３ｄ〜Ｓ１３ｆは、ユーザ操作によるプリアウト端子１１ｆのチャンネル設定、及び、マルチチャンネル音声データに含まれるチャンネルに応じて制御部２の指示によって切換えられる。
【００３９】
ＳＰ端子１４は、ＳＰ端子１４ａ〜１４ｆを有する。サラウンド後方左ＳＰ端子１４ａにはサラウンド後方左スピーカーＳＳＢＬが接続される。左外側ＳＰ端子１４ｂには左外側スピーカーＳＬＷが接続される。左上側ＳＰ端子１４ｃには左上側スピーカーＳＬＨが接続される。サラウンド後方右ＳＰ端子１４ｄにはサラウンド後方右スピーカーＳＳＢＲが接続される。右外側ＳＰ端子１４ｅには右外側スピーカーＳＲＷが接続される。右上側ＳＰ端子１４ｆには右上側スピーカーＳＲＨが接続される。
【００４０】
図２に戻り、ＨＤＭＩ送信部４は、ＨＤＭＩ受信部３から供給された映像データを、ＨＤＭＩデータに変換し、ディスプレイ装置２００に送信する。
【００４１】
制御部２は、内蔵又は接続された図示しないメモリに記憶されているＡＶアンプの動作プログラムに基づいて、各部を制御するものであり、例えば、マイクロコンピュータやＣＰＵ等である。制御部２は、左プリアウト端子１１ｃ、右プリアウト端子１１ｆに出力する音声信号のチャンネルを、ユーザ操作に応じて選択して設定する。制御部２は、ユーザ操作によって設定されているチャンネルの音声信号が、左プリアウト端子１１ｃ、右プリアウト端子１１ｆに出力されるようにＤＳＰを制御する。なお、一般的には、左プリアウト端子１１ｃ、右プリアウト端子１１ｆは相互に関連付けられたチャンネル（サラウンド後方左音声信号ＳＢＬとサラウンド後方右音声信号ＳＢＲとの組合わせ、左外側音声信号ＬＷと右外側音声信号ＲＷとの組合わせ、あるいは、左上側音声信号ＬＨと右上側音声信号ＲＨとの組合わせ）に設定される。
【００４２】
また、制御部２は、マルチチャンネル音声データに、サラウンド後方左音声信号ＳＢＬ、左外側音声信号ＬＷ、及び、左上側音声信号ＬＨにおいて、ユーザ操作によって左プリアウト端子１１ｃに設定されているチャンネル以外の２つのチャンネルのいずれが含まれているかを判断する。制御部２は、この判断結果に基づいて、スイッチＳ１３ａ〜Ｓ１３ｃを制御する。同様に、制御部２は、マルチチャンネル音声データに、サラウンド後方右音声信号ＳＢＲ、右外側音声信号ＲＷ、及び、右上側音声信号ＲＨにおいて、ユーザ操作によって右プリアウト端子１１ｆに設定されているチャンネル以外の２つのチャンネルのいずれが含まれているかを判断する。制御部２は、この判断結果に基づいて、スイッチＳ１３ｄ〜Ｓ１３ｆを制御する。なお、マルチチャンネル音声データは、ＢＤ１００プレーヤから受信する音声データに限定されず、ＤＳＰが生成して出力する音声データであってもよい。
【００４３】
ＨＤＭＩ受信部３は、ＨＤＭＩデータから元のマルチチャンネル音声データを生成し、音声処理部５に供給する。音声処理部５は、マルチチャンネル音声データをデコードし、その情報領域に含まれているチャンネル情報を読み出して、制御部２に供給する。
【００４４】
以下、本発明の動作を説明する。図６は、制御部２の音声切換処理を示すフローチャートである。なお、本例では各左チャンネルのみについて説明するが、各右チャンネルについても同様である。
【００４５】
［左プリアウト端子１１ｃがサラウンド後方左音声信号ＳＢＬに設定されている場合］
制御部２は、左プリアウト端子１１ｃから出力する音声信号のチャンネルがユーザ操作によってサラウンド後方左音声信号ＳＢＬに設定されているか否かを判断する（Ｓ１）。サラウンド後方左音声信号ＳＢＬに設定されている場合（Ｓ１でＹＥＳ）、制御部２は、ＤＳＰからサラウンド後方左音声信号ＳＢＬをＤＡＣ１１ｂに入力させる（Ｓ２）。その結果、サラウンド後方左音声信号ＳＢＬは、左プリアウト端子１１ｃから出力することができる。
【００４６】
続いて、制御部２は、供給されるマルチチャンネル音声データに左外側音声信号ＬＷが含まれているか否かを判断する（Ｓ３）。含まれている場合（Ｓ３でＹＥＳ）、制御部２は、ＤＳＰからＤＡＣ１１ａに左外側音声信号ＬＷを入力させる（Ｓ４）。そして、制御部２は、スイッチＳ１３ｂをオン状態に、Ｓ１３ａ、Ｓ１３ｃをオフ状態に制御する（Ｓ４）。その結果、左外側音声信号ＬＷは、アンプ１２ａで増幅され、スイッチＳ１３ｂを介して、左外側ＳＰ端子１４ｂに供給される。
【００４７】
一方、Ｓ３において、左外側音声信号ＬＷが含まれていない場合（Ｓ３でＮＯ）、制御部２は、供給されるマルチチャンネル音声データに左上側音声信号ＬＨが含まれているか否かを判断する（Ｓ５）。含まれている場合（Ｓ５でＹＥＳ）、制御部２は、ＤＳＰからＤＡＣ１１ａに左上側音声信号ＬＨを入力させる（Ｓ６）。そして、制御部２は、スイッチＳ１３ｃをオン状態に、Ｓ１３ａ、Ｓ１３ｂをオフ状態に制御する（Ｓ６）。その結果、左上側音声信号ＬＨは、アンプ１２ａで増幅され、スイッチＳ１３ｃを介して、左上側ＳＰ端子１４ｃに供給される。
【００４８】
［左プリアウト端子１１ｃが左外側音声信号ＬＷに設定されている場合］
Ｓ１において左プリアウト端子１１ｃから出力する音声信号のチャンネルがユーザ操作によってサラウンド後方左音声信号ＳＢＬに設定されていないと判断された場合（Ｓ１でＮＯ）、制御部２は、左プリアウト端子１１ｃから出力する音声信号のチャンネルがユーザ操作によって左外側音声信号ＬＷに設定されているか否かを判断する（Ｓ７）。左外側音声信号ＬＷに設定されている場合（Ｓ７でＹＥＳ）、制御部２は、ＤＳＰから左外側音声信号ＬＷをＤＡＣ１１ｂに入力させる（Ｓ８）。その結果、左外側音声信号ＬＷは、左プリアウト端子１１ｃから出力することができる。
【００４９】
続いて、制御部２は、供給されるマルチチャンネル音声データにサラウンド後方左音声信号ＳＢＬが含まれているか否かを判断する（Ｓ９）。含まれている場合（Ｓ９でＹＥＳ）、制御部２は、ＤＳＰからＤＡＣ１１ａにサラウンド後方左音声信号ＳＢＬを入力させる（Ｓ１０）。そして、制御部２は、スイッチＳ１３ａをオン状態に、Ｓ１３ｂ、Ｓ１３ｃをオフ状態に制御する（Ｓ１０）。その結果、サラウンド後方左音声信号ＳＢＬは、アンプ１２ａで増幅され、スイッチＳ１３ａを介して、サラウンド後方ＳＰ端子１４ａに供給される。
【００５０】
一方、Ｓ９において、サラウンド後方左音声信号ＳＢＬが含まれていない場合（Ｓ９でＮＯ）、制御部２は、供給されるマルチチャンネル音声データに左上側音声信号ＬＨが含まれているか否かを判断する（Ｓ１１）。含まれている場合（Ｓ１１でＹＥＳ）、制御部２は、ＤＳＰからＤＡＣ１１ａに左上側音声信号ＬＨを入力させる（Ｓ１２）。そして、制御部２は、スイッチＳ１３ｃをオン状態に、Ｓ１３ａ、Ｓ１３ｂをオフ状態に制御する（Ｓ１２）。その結果、左上側音声信号ＬＨは、アンプ１２ａで増幅され、スイッチＳ１３ｃを介して、左上側ＳＰ端子１４ｃに供給される。
【００５１】
［左プリアウト端子１１ｃが左上側音声信号ＬＨに設定されている場合］
Ｓ７において左プリアウト端子１１ｃから出力する音声信号のチャンネルがユーザ操作によって左外側音声信号ＬＷに設定されていないと判断された場合（Ｓ７でＮＯ）、制御部２は、左プリアウト端子１１ｃから出力する音声信号のチャンネルがユーザ操作によって左上側音声信号ＬＨに設定されていると判断する。従って、制御部２は、ＤＳＰから左上側音声信号ＬＨをＤＡＣ１１ｂに入力させる（Ｓ１３）。その結果、左上側音声信号ＬＨは、左プリアウト端子１１ｃから出力することができる。
【００５２】
続いて、制御部２は、供給されるマルチチャンネル音声データにサラウンド後方左音声信号ＳＢＬが含まれているか否かを判断する（Ｓ１４）。含まれている場合（Ｓ１４でＹＥＳ）、制御部２は、ＤＳＰからＤＡＣ１１ａにサラウンド後方左音声信号ＳＢＬを入力させる（Ｓ１５）。そして、制御部２は、スイッチＳ１３ａをオン状態に、Ｓ１３ｂ、Ｓ１３ｃをオフ状態に制御する（Ｓ１５）。その結果、サラウンド後方左音声信号ＳＢＬは、アンプ１２ａで増幅され、スイッチＳ１３ａを介して、サラウンド後方ＳＰ端子１４ａに供給される。
【００５３】
一方、Ｓ１４において、サラウンド後方左音声信号ＳＢＬが含まれていない場合（Ｓ１４でＮＯ）、制御部２は、供給されるマルチチャンネル音声データに左外側音声信号ＬＷが含まれているか否かを判断する（Ｓ１６）。含まれている場合（Ｓ１６でＹＥＳ）、制御部２は、ＤＳＰからＤＡＣ１１ａに左外側音声信号ＬＷを入力させる（Ｓ１７）。そして、制御部２は、スイッチＳ１３ｂをオン状態に、Ｓ１３ａ、Ｓ１３ｃをオフ状態に制御する（Ｓ１７）。その結果、左外側音声信号ＬＷは、アンプ１２ａで増幅され、スイッチＳ１３ｂを介して、左外側ＳＰ端子１４ｂに供給される。
【００５４】
以上の処理によって、音声処理部５から供給されるマルチチャンネル音声データに含まれる入力信号のチャンネル情報の違いによって、音声信号が出力されるプリアウト端子が変動することが防止され、ユーザ操作によって設定されたチャンネルの音声信号が必ず左プリアウト端子１１ｃから出力されるようにすることができる。
【００５５】
次に本発明の別の好ましい実施形態を説明する。図７に示すように、本例では、左外側音声信号ＬＷに代えて（又は加えて）左中央側音声信号ＬＣが存在し、右外側音声信号ＲＷに代えて（又は加えて）右中央側音声信号ＲＣが存在する。左中央側音声信号ＬＣは、左音声信号Ｌと中央音声信号Ｃとの間の位置から再生される音声信号である。右中央側音声信号ＲＣは、右音声信号Ｒと中央音声信号Ｃとの間の位置から再生される音声信号である。この場合に、図８に示すように、左外側音声信号ＬＷを左中央側音声信号ＬＣに置き換え、右外側音声信号ＲＷを右中央側音声信号ＲＣに置き換えた回路構成が採用されるとよい。
【００５６】
これらを踏まえて上記実施形態を一般的に表現すると、サラウンド後方左音声信号ＳＢＬを第１拡張左音声信号と定義し、サラウンド後方右音声信号ＳＢＲを第１拡張右音声信号と定義し、左外側音声信号ＬＷを第２拡張左音声信号と定義し、右外側音声信号ＲＷを第２拡張右音声信号と定義し、左上側音声信号ＬＨを第３拡張左音声信号と定義し、右上側音声信号ＲＨを第３拡張右音声信号と定義する。
【００５７】
そして、第１拡張左音声信号は、サラウンド後方左音声信号ＳＢＬ、左外側音声信号ＬＷ、左上側音声信号ＬＨおよび左中央側音声信号ＬＣのいずれかであればよい。第２拡張左音声信号は、サラウンド後方左音声信号ＳＢＬ、左外側音声信号ＬＷ、左上側音声信号ＬＨおよび左中央側音声信号ＬＣのいずれかであればよく、かつ、第１拡張左音声信号と異なるチャンネルであればよい。第３拡張左音声信号は、サラウンド後方左音声信号ＳＢＬ、左外側音声信号ＬＷ、左上側音声信号ＬＨおよび左中央側音声信号ＬＣのいずれかであればよく、かつ、第１拡張左音声信号および第２拡張左音声信号と異なるチャンネルであればよい。
【００５８】
同様に、第１拡張右音声信号は、サラウンド後方右音声信号ＳＢＲ、右外側音声信号ＲＷ、右上側音声信号ＲＨおよび右中央側音声信号ＲＣのいずれかであればよい。第２拡張右音声信号は、サラウンド後方右音声信号ＳＢＲ、右外側音声信号ＲＷ、右上側音声信号ＲＨおよび右中央側音声信号ＲＣのいずれかであればよく、かつ、第１拡張右音声信号と異なるチャンネルの信号であればよい。第３拡張右音声信号は、サラウンド後方右音声信号ＳＢＲ、右外側音声信号ＲＷ、右上側音声信号ＲＨおよび右中央側音声信号ＲＣのいずれかであればよく、かつ、第１拡張左音声信号および第２拡張左音声信号と異なるチャンネルの信号であればよい。
【００５９】
以上、本発明の好ましい実施形態を説明したが、本発明はこれらの実施形態には限定されない。ＡＶアンプの上記動作をコンピュータに実行させるためのプログラムおよびこれを記録した記録媒体という形態で提供されてもよい。
【産業上の利用可能性】
【００６０】
本発明は、ＡＶアンプ等に好適に採用され得る。
【符号の説明】
【００６１】
１            ＡＶアンプ
２            制御部
５            音声処理部
７            表示部
１１            プリアウト部
１２            パワーアンプ
１３            ＳＰリレー
１４            ＳＰ端子
【図１】
0005477402.tif 000002
【図２】
0005477402.tif 000003
【図３】
0005477402.tif 000004
【図４】
0005477402.tif 000005
【図５】
0005477402.tif 000006
【図６】
0005477402.tif 000007
【図７】
0005477402.tif 000008
【図８】
0005477402.tif 000009
【図９】
0005477402.tif 000010